(57)【要約】  【課題】使用者が使用者個人の執務と打ち合わせとを効率よく行うことができるデスクを提供する。  【解決手段】使用者が個人の執務を行う執務用デスク１と、使用者が複数の他者と会合し得るミーティングテーブル２とを具備し、これら執務用デスク１１とミーティングテーブル２１との天板１１、２１同士を隣り合わせて配置してなるものであって、ミーティングテーブル２の天板２１の上面２１ａが、執務用デスク１の天板１１の上面１１ａよりも広いものである。  【選択図】図１
2006136389.tif 000002
【特許請求の範囲】
【請求項１】
使用者が個人の執務を行う執務用デスクと、
使用者が複数の他者と会合し得るミーティングテーブルとを具備し、これら執務用デスクとミーティングテーブルとの天板同士を隣り合わせて配置してなるものであって、
前記ミーティングテーブルの天板の上面が、当該執務用デスクの天板の上面よりも広いものであることを特徴とするデスク。
【請求項２】
前記ミーティングテーブルの天板が前記執務用デスクの使用縁に近接した内縁と該内縁に対して所定の奥行き寸法を隔てて延びる外縁とを有するものであり、
前記ミーティングテーブルの天板における内縁の少なくとも一部を前記執務用デスクの側縁に沿って配置している請求項１記載のデスク。
【請求項３】
前記ミーティングテーブルの天板に奥行き寸法が小さい狭小領域を部分的に設定している請求項２記載のデスク。
【請求項４】
前記ミーティングテーブルの天板における狭小領域を、前記執務用デスクの使用縁よりも当該使用縁に向かって執務する前記使用者側に位置する領域に設定している請求項３記載のデスク。
【請求項５】
前記ミーティングテーブルの天板における外縁のうち少なくとも一部を湾曲或いは屈曲させた形状とすることにより、前記狭小領域を形成している請求項３又は４記載のデスク。
【請求項６】
前記ミーティングテーブルの天板における狭小領域を、前記執務用デスクの使用縁よりも当該使用縁に向かって執務する前記使用者側に位置する領域に設定し、前記外縁を部分円弧状に湾曲させることにより、前記狭小領域を形成している請求項５記載のデスク。
【請求項７】
前記ミーティングテーブルの天板の下方に前記内縁に沿って第一の幕板を配置するとともに、前記第一の幕板とは一体又は別体に前記外縁の前記屈曲或いは湾曲させた部位に沿って湾曲或いは屈曲させた第二の幕板を配置している請求項５又は６記載のデスク。
【請求項８】
前記第二の幕板に脚としての機能を付与している請求項７記載のデスク。
【請求項９】
前記ミーティングテーブルの天板の下方にコンセントを前記外縁に向けて設けている請求項２、３、４、５、６、７又は８記載のデスク。
【請求項１０】
前記執務用デスクの反使用縁側且つミーティングテーブルに近接した側縁により形成される隅部において、前記ミーティングテーブル或いは前記執務用デスクの何れかに、天板上又は天板の上方で使用されるオプション部材を取り付け可能な取付部を形成している請求項１、２、３、４、５、６、７、８又は９記載のデスク。
【発明の詳細な説明】
【技術分野】
【０００１】
本発明は、執務スペースやミーティングスペース等のワークスペースを好適に構築し得るデスクに関するものである。
【背景技術】
【０００２】
オフィスにおいて、例えば管理職を使用者として想定したデスクが種々提案されている。そのようなデスクの一例として、主にデスクワーク等の使用者自身の執務を行うための執務用デスクと、当該執務用デスクの脇に、執務用デスクよりも小形の天板を有する奥行きの浅いミーティングテーブルを配置した態様のデスクが提案されている（例えば、非特許文献１参照）。
【０００３】
この非特許文献１に開示されているようなデスクによれば、使用者自身の執務を執務用デスクで行いながら、１人程度の他者との簡単な打ち合わせは執務用デスクの脇に配置されたミーティングテーブルで行うことができるようになっている。
【０００４】
そして使用者が例えば複数の部下との多人数での打ち合わせを行うような場合には、執務用デスクから離れた場所に配置された大型の会議テーブルに移動するという態様が一般的であった。
【非特許文献１】「コクヨ  ２００４オフィスファニチャー編」、コクヨ株式会社、平成１５年１２月、p．５７４、左上欄記載のパソコン対応テーブルＭＧ−３ＤＦＲ、右下欄記載のミーティングテーブルＭＧ−３ＤＳＲ
【発明の開示】
【発明が解決しようとする課題】
【０００５】
ここで、非特許文献１に開示されたデスクを使用する管理職たる使用者は、個人で執務用デスクに向かって行う執務よりも複数の部下から報告や相談を受けるというような多人数での打ち合わせのために多くの時間を割いていると考えられている。
【０００６】
しかしながら、多人数で打ち合わせを行うためには上述の通り、使用者は別の場所にある会議テーブルに移動しなければならず、その際には使用者は自席での執務を完全に中断しなければならない。また、打ち合わせの終了後、或いは途中で自分の執務に戻るにはさらに時間を要することとなってしまう。
【０００７】
また、非特許文献１に開示されたようなミーティングテーブルは上述の通り執務用のデスクよりも小さく設定され、１人程度の他者を相手に簡単な打ち合わせを行うことができる程度のものである。このようなものは、資料を広げたり、書類やパソコンを置いたりして打ち合わせを行うには狭いものであり、書類や資料を用いての本格的な打ち合わせを行うには不向きなものである。
【０００８】
本発明は、このような不具合に着目したものであり、使用者が使用者個人の執務と打ち合わせとを効率よく行うことができるデスクを提供する。
【課題を解決するための手段】
【０００９】
本発明は、このような目的を達成するために、次のような手段を講じたものである。すなわち、本発明に係るデスクは、使用者が個人の執務を行う執務用デスクと、使用者が複数の他者と会合し得るミーティングテーブルとを具備し、これら執務用デスクとミーティングテーブルとの天板同士を隣り合わせて配置してなるものであって、前記ミーティングテーブルの天板の上面が、当該執務用デスクの天板の上面よりも広いものであることを特徴とする。
【００１０】
このようなものであれば、使用者は執務用デスクで個人の執務を行っている場所に居ながらにして執務用デスクよりも天板の上面が広いミーティングテーブルを使用して多人数での打ち合わせを行うことが可能となる。その結果、使用者が会議テーブルまで移動しなくともその場で指示・決断を行うことができる。さらに、使用者の執務用デスクを使用しての個人の執務からミーティングテーブルを使用する多人数の打ち合わせへの移行、及びその逆もスムーズに行うことができるので、結果として使用者を含む会合を行うメンバー全体の意志決定の大幅なスピード向上を図ることができる。
【００１１】
使用者が執務用デスクにおいて執務している位置から居ながらにして向きを側方に変えるのみで多人数での打ち合わせを行うようにするためには、ミーティングテーブルの天板を執務用デスクの使用縁に近接した内縁と該内縁に対して所定の奥行き寸法を隔てて延びる外縁とを有するものとし、ミーティングテーブルの天板における内縁の少なくとも一部を執務用デスクの側縁に沿って配置することが望ましい。
【００１２】
使用者と他者とが打ち合わせを行う際に、使用者が他者との距離を任意に接近させて打ち合わせを行うことにより、他者と打ち合わせる際の距離を任意に設定し得るものとするためには、ミーティングテーブルの天板に奥行き寸法が小さい狭小領域を設定することが望ましく、このようなものであれば、例えばフォーマルな打ち合わせを行う場合は奥行き寸法が大きい位置に他者を配置して当該他者と一定の距離を保つことが可能であり、インフォーマルな話を行う場合は奥行き寸法が小さい位置に他者を配置して当該他者との距離を近接させることが可能であり、さらに少人数での打ち合わせを行う場合は狭小領域にのみ他者を配置して使用者との距離を近接させ、より密なコミュニケーションを図ることが可能となる。ここで狭小領域について、奥行き寸法が小さくなる形状は部分円周状や階段状をなすものに限られず、例えば矩形からボックス状に切り欠いた形状や、奥行き寸法を直線状に漸次小さくして天板がテーパ状をなすようなものも含まれる。
【００１３】
また、使用者が他者を自分の隣席に且つ接近させて配置し得るようにするためには、狭小領域を、執務用デスクの使用縁よりも当該使用縁に向かって執務する使用者側に位置する領域に設定することが好ましい。また、使用者が位置するミーティングテーブルの天板の内縁側から好適に外縁側に配置される他者との距離を接近させるためには、ミーティングテーブルの天板の外縁のうち少なくとも一部を湾曲或いは屈曲させた形状として狭小領域を形成することが望ましい。ここで、ミーティングテーブルの内縁側の形状については直線状とすることや、使用者に近接する箇所のみ適宜湾曲或いは屈曲させる等、外縁の形状との関係で狭小領域を形成し得るものであれば、種々の形状を採用することができる。さらに、ミーティングテーブルの天板に余分な隅部を形成させずに安全性を感じさせる天板形状とするためには、執務用デスクの使用縁よりも当該使用縁に向かって執務する使用者側に狭小領域を設定し、外縁を部分円弧状に湾曲させることが望ましい。
【００１４】
そして、ミーティングテーブルの天板の外縁側に着席する他者から使用者の下肢空間を好適に遮蔽するためには、ミーティングテーブルの天板の下方に内縁に沿った第一の幕板を配置するとともに、外縁の前記屈曲或いは湾曲させた部位に沿って湾曲或いは屈曲させた第二の幕板を第一の幕板とは一体又は別体に配置することが好ましい。そしてこの第二の幕板に脚としての機能をも付与することにより、天板の下方を好適に支持させるとともに、幕板とは別の箇所から脚を別途垂下させることを回避して、使用者及び他者共に好適に使用し得る下肢空間をミーティングテーブルに形成することができる。
【００１５】
さらに、ミーティングテーブルの天板の外縁側に配置される他者が使用し易い位置に電源コンセントや情報コンセントを配置するためには、ミーティングテーブルの天板の下方に前記外縁に向けてコンセントを設けることが望ましい。
【００１６】
また、前記執務用デスクの反使用縁側且つミーティングテーブルに近接した側縁により形成される隅部において、前記ミーティングテーブル或いは前記執務用デスクの何れかに、天板上又は天板の上方で使用されるオプション部材を取り付け可能な取付部を形成しているものであれば、打ち合わせに参加したメンバーが一つのオプション部材を共有し得る形態を容易に構築することができる。ここで、オプション部材とは、電話や液晶モニタ等を挙げることができるほか、それらを好適に支持し得るアーム等も採用しても良い。
【発明の効果】
【００１７】
本発明に係るデスクによれば、執務用デスクの天板の上面よりも広い天板の上面を有するミーティングデーブルを執務用デスクに隣り合わせて配置することにより、使用者は個人の執務を行う使用縁に向かう箇所から移動することなく多人数での打ち合わせを行うことが可能になる。その結果、会議テーブルまで行かなくてもその場で打ち合わせし、指示・決断ができる。すなわち、使用者個人の執務と他者を交えた打ち合わせとの相互の切換をスムーズに行うことができる。その結果として、使用者を含む会合を行うメンバー全体の意志決定の大幅なスピード向上を図ることができる。また、使用者が通常行うミーティングを、当該ミーティングテーブルを使用して行うようにすれば使用者から離れた位置の会議スペースの削減を図ることも可能となる。
【発明を実施するための最良の形態】
【００１８】
以下、本発明の一実施の形態について図面を参照して説明する。
【００１９】
図１〜図６には、オフィスにおいて例えば経営者や管理職といった者を使用者として想定し、その使用者が個人の執務と３〜５人程度の部下等の他者を交えた打ち合わせとを好適に行い得るデスクＤを示している。
【００２０】
ここでデスクＤは、使用者が個人の執務を行う執務用デスク１と、使用者が複数の他者と会合し得るミーティングテーブル２とを具備し、これら執務用デスク１とミーティングテーブル２との天板１１、２１同士を隣り合わせて配置してなるものであって、ミーティングテーブル２の天板２１の上面２１ａが、執務用デスク１の天板１１の上面１１ａよりも広く設定しているものである。
【００２１】
以下、デスクＤを構成する執務用デスク１とミーティングテーブル２の具体的な構成について詳述する。
【００２２】
執務用デスク１は、図２に示すように、天板１１と、天板下方に設けられたメイン抽斗１２及び袖部１３と、天板下方の下肢空間を遮蔽し得るパネル１４及び一対の側板１５、１６とを主に具備している。
【００２３】
天板１１は、その上面１１ａが個人の執務を行うに足る程度の面積を有し、使用縁１１ｂ、反使用縁１１ｃ及び両側縁１１ｅ、１１ｆを周縁部とした矩形状をなすものであり、使用縁１１ｂ側の中央部分にはレザーマット１１１を取り付けている。また、天板１１の反使用縁１１ｃ側のパネル１４と側板１５との付近の隅部に、上面１１ａ又は天板１１の上方で使用される、図１に示すオプション部材支持用アームＯＰを取り付け可能な取付部１１ｄを形成している。なお、当該取付部１１ｄは後述するミーティングテーブル２の内縁２２と外側縁２４とにより形成される隅部に設けても良い。メイン抽斗１２は、天板１１の下方、図示例においてレザーマット１１１の略下方に取り付けられており、使用者が書類等を頻繁に出し入れし易いように袖部１３に隣接して且つ天板１１の下方を袖部１３の位置を除いて略覆う程度にまで大きく設定されている。袖部１３は側板１６に沿って設けられており、上下方向に３段の抽斗を有する通常のものである。本実施形態では天板１１におけるミーティングテーブル２が接していない側板１６側に袖部１３が設けられているが、勿論左側の側縁１５に沿って設けたものであってもよく、側板１５、側板１６のどちら側にも設けたものであっても良い。さらに本実施形態において、袖部１３は執務用デスク１に据え付けられているものとなっているが、執務用デスク１とは別体に床上を移動可能に設けたワゴンを採用しても良い。そして、パネル１４によって天板１１の反使用縁１１ｃ側から下肢空間を遮蔽するとともに、側板１５、１６によって天板１１の両側から下肢空間を遮蔽することにより、執務用デスク１は使用縁１１ｂを除く三方向から下肢空間を好適に遮蔽し得るものとなっている。また、袖部１３及び、パネル１４及び側板１５、１６の下方には複数のアジャスタ１３ａｊ、１４ａｊ（図示せず）、１５ａｊ及び１６ａｊ（図示せず）をそれぞれ設けることにより、執務用デスク１全体を支持する脚としての役割をも果たしている。
【００２４】
ミーティングテーブル２は、図１、図３、図４及び図５に示すように、天板２１の上面２１ａが執務用デスク１の天板１１の上面１１ａと面一となる高さに設定されるとともに、上面２１ａの面積を執務用デスク１の天板１１の上面１１ａよりも広く設定しているものである。そして、天板２１と、第一の幕板２５と、コンセント部２６と、第二の幕板２７と、側板２８と、脚２９とを主に有している。
【００２５】
天板２１は、直線状に延びる内縁２２と、該内縁２２に対して所定の奥行き寸法を隔てて延びる外縁２３と、内縁２２及び外縁２３に対して直交して延びる外側縁２４とを有するものであり、本実施形態において内縁２２の一部が執務用デスク１の側板１５に接するように配置している。
【００２６】
そしてこの天板２１には、外側縁２４が延びる寸法である奥行き寸法が一定である矩形領域２１Ｒと、奥行き寸法を部分的に小さく設定した狭小領域２１Ｎを設けている。なお、図３及び図６において矩形領域２１Ｒと狭小領域２１Ｎとの仮想の境界を想像線で示している。そして、この狭小領域２１Ｎを、執務用デスク１の使用縁よりも使用者側に位置する領域に設定している。詳細には、天板における内縁２２は直線状とし、外縁２３を、矩形領域２１Ｒを構成する直線部分２３ａと、円弧状に湾曲させた湾曲部分２３ｂとによって構成し、当該湾曲部分２３ｂと内縁２２の一部とを含む天板２１の部分円状の領域を狭小領域２１Ｎとしている。
【００２７】
第一の幕板２５は、天板２１における矩形領域２１Ｒの略下方且つ奥行き方向中央付近から内縁に沿って直線状に垂下させた矩形状の板材からなるものであり、内縁２２側には配線ダクト２５ａを取り付けているとともに外縁２３側にはコンセント取付部２５ｂを設け、当該コンセント取付部２５ｂに後述するコンセントユニット２６ｃを設けている。
【００２８】
コンセント部２６は図５に示すように、上述したコンセント取付部２５ａにコンセントユニット２６ｃを２つ並べて配置したものである。そして当該コンセントユニット２６ｃには、例えば家庭用１００Ｖ電源に対応しうるコンセントたる電源コンセント２６ａと、例えばＬＡＮケーブルを接続し得るモジュラージャック状のコンセントたる情報コンセント２６ｂとを１つずつ配置している。
【００２９】
第二の幕板２７は、第一の幕板２５とは別体の概略矩形状の板材を第一の幕板２５に対して湾曲部分２３ｂに略沿った斜め方向から第一の幕板２５に当接するように設けているものである。そして、上述した外縁２３の湾曲部分２３ｂに沿うように板材の面を湾曲させている。さらに、第二の幕板は下端を床面付近まで延ばし、下端面に２つのアジャスタ２７ａｊを取り付けることにより、当該第二の幕板２７は、脚としての機能をも有するものとなっている。
【００３０】
側板２８は、天板２１の外側縁２４と面一となるように外側縁２４の下側から床面付近まで延びる矩形状の板材である。また、側板２８の中央部には第一の幕板２５が当接している。
【００３１】
そして、側板２８の端部に沿って、天板２１の隅部から２本の脚２９を垂下させている。また、当該脚２９の下側には上述した第二の幕板に取り付けたアジャスタ２７ａｊと略同様のアジャスタ２９ａｊを取り付けている。そして、上述の第二の幕板２７と脚２９とによってミーティングテーブル２全体を下方より支持している。
【００３２】
次に、本実施形態に係るデスクＤを採用し、使用者と５人或いは２人の他者を配置した態様を図６及び図７に示す。なお、同図において使用者及び５人の他者の配置は、使用者用椅子ＵＣ及び他者用椅子Ｃ１、Ｃ２、Ｃ３、Ｃ４、Ｃ５の配置によって示している。すなわち、図６のようにミーティングテーブルの天板２１の狭小領域２１Ｎを、執務用デスク１の使用縁１１ｂよりも使用者用椅子に接近した位置、すなわち使用者側に位置する領域に設定することにより、狭小領域２１Ｎ、すなわち湾曲部分２３ｂに沿って配置した他者用椅子Ｃ１、Ｃ２、Ｃ３に着座した他者と使用者用椅子ＵＣとの距離を順次接近させ得るものとなっている。勿論、使用者が他者に対して一定の距離を介して打ち合わせを行う場合は矩形領域２１Ｒすなわち直線部分２３ａに沿って配置されている他者用椅子Ｃ４、Ｃ５の位置に着座させればよい。
【００３３】
そして、少人数での打ち合わせを行う場合は図７に示すように、狭小領域２１Ｎ、すなわち湾曲部分２３ｂに沿って配置した他者用椅子Ｃ１、Ｃ２にのみ他者を配置して使用者すなわち使用者用椅子ＵＣとの距離をより接近させた状態でミーティングを行うことができる。
【００３４】
以上のように、本実施形態に係るデスクＤは、執務用デスク１とミーティングテーブル２との天板１１、２１同士を隣り合わせて配置してなり、ミーティングテーブル２の天板２１の上面２１ａを執務用デスク１の天板１１の上面１１ａよりも広く設定しているため、デスクＤの使用者は執務用デスク１で個人の執務を行っている場所に居ながらにして執務用デスク１の天板１１よりも広い天板２１の上面２１ａを有するミーティングテーブル２を使用して多人数での打ち合わせを行うことが可能となる。その結果、使用者は執務用デスク１に着座したその場所でミーティングテーブル２の外縁２３側に部下等の他者を着席させてミーティングを行い、指示・決断をすることができる。さらに、執務用デスク１での使用者の個人の執務からミーティングテーブル２を使用する多人数の打ち合わせへの移行、及びその逆もスムーズに行うことができる。そうすることにより、使用者を含む会合を行うメンバー全体の意志決定の大幅なスピード向上を図ることができる。
【００３５】
また、ミーティングテーブル２の天板２１における内縁２２の少なくとも一部を執務用デスク１の側縁１１ｅに沿って配置しているので、デスクＤの使用者は執務用デスク１において執務している位置から居ながらにして向きを側方に変えるのみで多人数での打ち合わせを行うことができる。
【００３６】
そして、ミーティングテーブル２の天板２１に狭小領域２１Ｎを設定することにより、この狭小領域２１Ｎ沿い、すなわち外縁２３の湾曲部分２３ｂに部下等の他者を配置して執務用デスク１の天板１１における使用縁１１ｂに向かって執務を行う使用者との位置を近く設定することができる。例えばフォーマルな打ち合わせを行う場合は奥行き寸法が大きい直線部分２３ａに他者を配置して当該他者と一定の距離を保つことが可能であり、インフォーマルな話を行う場合は奥行き寸法が小さい狭小領域２１Ｎ沿いの湾曲部分２３ｂに他者を配置して当該他者との距離を近接させることが可能である。また狭小領域２１Ｎを、前記執務用デスク１の使用縁１ｂよりも使用者側に位置する領域に設定することにより、当該狭小領域２１Ｎに他者を配置した場合、執務用デスク１の天板１１における使用縁１１ｂに向かって執務を行う使用者は他者を自分の隣席に且つ接近させて配置することができるものとなる（図６）。さらに、少人数での打ち合わせを行う場合は図７に示すように、狭小領域２１Ｎに沿って配置した他者用椅子Ｃ１、Ｃ２にのみ他者を配置して使用者用椅子ＵＣとの距離をより接近させた状態でミーティングを行うことにより、使用者及び他者がより密なコミュニケーションを図ることが可能となる（図７）。具体的には、ミーティングテーブル２の天板２１の外縁２３に湾曲部分２３ｂを設けて、内縁２２側を使用者にとって使いやすい形状としながら他者を好適に接近させて配置し得るものとしている。ここで、本実施形態ではミーティングテーブル２の内縁２２の形状については直線状のものとしたが、外縁２３の形状との関係で狭小領域２１Ｎを形成し得るものであれば、例えば使用者に近接する箇所のみ湾曲あるいは屈曲させたものであっても良い。さらに天板２１に余分な隅部を形成することを有効に回避して安全性を感じさせる形状とするとともに、見た目にも美しいものとするために、外縁２３に部分円弧状に湾曲させた湾曲部分２３ｂを設けて狭小領域２１Ｎを形成している。
【００３７】
また、天板２１の下方に内縁２２に沿って延びる第一の幕板２５を配置するとともに、この第一の幕板２５とは別体に外縁２３の湾曲部分２３ｂに沿って配置した第二の幕板２７を配置することにより、ミーティングテーブル２の外縁２３側に着席する他者から使用者の下肢空間を好適に遮蔽し得るものとしている。そして第二の幕板２７の下端にアジャスタ２７ａｊを取り付けて脚としての機能をも付与しているため、好適に天板２１の下方、特に狭小領域２１Ｎを下方から好適に支持し、ひいてはミーティングテーブル脚２９とともにミーティングテーブル２全体を好適に支持し得るものとしている。また、第二の幕板２７とは別の箇所から脚を別途垂下させる必要がなく、使用者並びに他者共に好適に使用し得る下肢空間を形成している。
【００３８】
さらに、天板２１の下方にコンセントたる電源コンセント２６ａ並びに情報コンセント２６ｂを有するコンセント部２６を外縁２３に向けて設けているので、外縁２３側に着座する他者が好適に電源コンセント２６ａを使用して、パソコン等を用いる際に電源を得ることや、パソコンを用いた打ち合わせにおいて使用データを取得する際に情報コンセント２６ｂを使用して社内ＬＡＮなどを通じて別の場所のコンピュータにアクセスするといったことも可能となる。
【００３９】
加えて、執務用デスク１の反使用縁ｃ１１側且つミーティングテーブル２に近接した側縁１１ｅ付近にオプション部材支持用アームＯＰを取り付け可能な取付部ｄを形成しているので、打ち合わせに参加したメンバーが一つのオプション部材を共有し得る形態を容易に構築することができる。また例えばオプション部材としてボードやモニタを用いた場合には、報告やプレゼンテーションを好適に行うことができる。
【００４０】
さらに、本発明の他の実施形態として、図８に示すデスクＤＳを挙げることができる。このものは、上述したミーティングテーブル２の天板２１の代わりに当該天板２１と対称な形状をなす天板２１Ｓを有するミーティングテーブル２Ｓを具備するものである。このようなものであれば、ミーティングテーブル２、２Ｓのうち適したものを選択した上でデスクＤ及びＤＳの何れかをオフィスに配置することが可能となる。また勿論、執務用デスク１の両側縁１１ｅ、１１ｆに沿ってミーティングテーブル２、２Ｓをそれぞれ配置することも可能である。
【００４１】
さらに本発明の他の実施形態として、図９（ａ）、図９（ｂ）に示すように、狭小領域を有さない矩形状の天板３１を備えたミーティングテーブル３を具備するデスクＤ２を挙げることができる。当該デスクＤ２を用いた場合は使用者用椅子ＵＣと、他者用椅子Ｃ１、Ｃ２、Ｃ３、Ｃ４、Ｃ５とがそれぞれ一定の距離を保った状態となる。また勿論、当該デスクＤ２を用いる場合は、同図に示すように単一のミーティングテーブル３を用いて左右どちら向きの配置も構成することができる。
【００４２】
以上、本発明の実施形態について説明したが、各部の具体的な構成は、上述した実施形態のみに限定されるものではなく、本発明の趣旨を逸脱しない範囲で種々変形が可能である。例えば、奥行き寸法を小さくして狭小領域を設ける態様は、部分円周状をなすものに限られず、例えば矩形からボックス状や階段状に切り欠いた態様や、奥行き寸法を直線状に漸次小さくして天板がテーパ状をなすような態様であってもよい。
【００４３】
その他、各部の具体的構成についても上記実施形態に限られるものではなく、本発明の趣旨を逸脱しない範囲で種々変形が可能である。
【図面の簡単な説明】
【００４４】
【図１】本発明の一実施形態に係るデスクを示す全体斜視図。
【図２】同実施形態に係る執務用デスクを示す斜視図。
【図３】同実施形態に係るミーティングテーブルを示す斜視図。
【図４】同ミーティングテーブルを示す底面図。
【図５】同ミーティングテーブルを示す側面図。
【図６】同実施形態に係るデスクを示す模式的な平面図。
【図７】同上。
【図８】本発明の他の実施形態に係る模式的な平面図。
【図９】本発明の他の実施形態に係る模式的な平面図。
【符号の説明】
【００４５】
１…執務用デスク
１１、２１、２１Ｓ…天板
１１ａ、２１ａ…上面
１１ｂ…使用縁
１１ｃ…反使用縁
１１ｄ…取付部
１１ｅ…側縁
２、２Ｓ、３…ミーティングテーブル
２１Ｎ…狭小領域
２２…内縁
２３…外縁
２３ｂ…湾曲部分
２５…第一の幕板
２６…コンセント（コンセント部）
２７…第二の幕板
２７ａｊ…脚（アジャスタ）
Ｄ、ＤＳ、Ｄ２…デスク
ＯＰ…オプション部材支持用アーム
【図１】
2006136389.tif 000003
【図２】
2006136389.tif 000004
【図３】
2006136389.tif 000005
【図４】
2006136389.tif 000006
【図５】
2006136389.tif 000007
【図６】
2006136389.tif 000008
【図７】
2006136389.tif 000009
【図８】
2006136389.tif 000010
【図９】
2006136389.tif 000011